(57)【特許請求の範囲】
【請求項１】
移動体の現在位置を算出する測位手段と、使用者が入力操作を行う操作手段と、地図データなどの固定情報が記憶されているデータ手段と、前記測位手段により算出される現在位置や前記データ手段に記憶されている地図データなどを表示する表示手段と、テレビション放送を受信して画像データを得る画像受信手段と、前記画像受信手段で受信した画像データを取り込む画像格納手段と、この画像データに含まれる目的地に関する情報を文字認識する文字認識手段と、前記文字認識手段から得た目的地に関する情報を基にして、目的地に関する情報の示す地点の所在が前記表示手段上において明確となるように表示する制御手段とを備えたことを特徴とするナビゲーション装置。
【請求項２】
前記データ手段には前記文字認識手段から得た目的地に関する情報から、その情報の示す地点が該当する地図データを特定するための検索データが納められており、前記制御手段は前記文字認識手段から得た目的地に関する情報を基にして、前記データ手段から目的地に関する情報の示す地点を含む地図データを引き出すと共に、この地図データを前記表示手段に出力することを特徴とする請求項１記載のナビゲーション装置。
【発明の詳細な説明】
【０００１】
【産業上の利用分野】
本発明は、自動車などの移動体に搭載されるナビゲーション装置に関するものである。
【０００２】
【従来の技術】
近年、船舶、航空機あるいは自動車などの各種移動体には、移動体の現在位置をリアルタイムで表示手段に表示することができるナビゲーション装置が搭載されてきている。このようなナビゲーション装置では、ＧＰＳ（Ｇｌｏｂａｌ  Ｐｏｓｉｔｉｏｎｉｎｇ  Ｓｙｓｔｅｍ）測位装置などによって緯度や経度などの現在位置を算出し、この現在位置をＣＤ―ＲＯＭなどの記憶媒体に記憶されている地図データと組み合せて表示手段に表示して、使用者に移動体の現在位置を知らせるものである。
【０００３】
上記したナビゲーション装置では、目的地が特定している場合などは、使用者がその移動目的地の地点が表示手段上で明確となるように設定を行うことによって表示可能であったが、そのためには目的地の住所などの情報から使用者が地図を検索し、表示された地図を見て目的地の設定をしなければならなかった。
【０００４】
【発明が解決しようとする課題】
しかしながら上記従来の構成では、目的地を表示手段に表示させるために、使用者が住所などの情報を基にして目的地を地図上で検索して表示手段に表示するため、例えば現在位置と目的地とが遠く離れている場合などでは、煩雑な操作が使用に対して求められるため、使用者の操作負担が大きくなり誤操作を引き起こし易いという問題点を有していた。
【０００５】
本発明は上記従来の問題点を解決するものであり、目的地を設定する際の使用者の操作負担を軽減させ、誤操作の発生を防ぐことのできるナビゲーション装置を提供することを目的とする。
【０００６】
【課題を解決するための手段】
この目的を達成するために本発明のナビゲーション装置は、移動体の現在位置を算出する測位手段と、使用者が入力操作を行う操作手段と、地図データなどの固定情報が記憶されているデータ手段と、測位手段により算出される現在位置やデータ手段に記憶されている地図データなどを表示する表示手段と、テレビション放送を受信して画像データを得る画像受信手段と、画像受信手段で受信した画像データを取り込む画像格納手段と、この画像データに含まれる目的地に関する情報を文字認識する文字認識手段と、文字認識手段から得た目的地に関する情報を基にして、目的地に関する情報の示す地点の所在が表示手段上において明確となるように表示する制御手段とを備えた構成とした。
【０００９】
また、データ手段には文字認識手段から得た目的地に関する情報から、その情報の示す地点が該当する地図データを特定するための検索データが納められており、制御手段は文字認識手段から得た目的地に関する情報を基にして、データ手段から目的地に関する情報の示す地点を含む地図データを引き出すと共に、この地図データを表示手段に出力するように構成した。
【００１１】
【作用】
この構成により、テレビション放送を受信して画像データを得ると共に、得られた画像データを文字認識することによって目的地に関する情報を得て、この目的地に関する情報の示す地点を表示手段上に表示する。
【００１４】
また、受信した画像データを文字認識することによって目的地に関する情報を得て、この目的地に関する情報を基にして地図データの検索を行い、引き出した地図データを表示手段に出力する。
【００１６】
【実施例】
（実施例１）
以下に本発明の第１の実施例について、図面を参照しながら説明する。
【００１７】
図１は本発明の第１の実施例におけるナビゲーション装置の構成を示すブロック図である。図１において、１は測位部であり、ＧＰＳ装置などを用いて移動体の緯度や経度などの現在位置を算出する。２は使用者が入力操作を行う操作部、３は地図データなどの固定情報を有するデータ部、４は表示部であり、測位部１で算出された現在位置やデータ部３の情報を表示する。５は記憶部であり、データ部３から読み出された地図データなどの可変情報を一時的に記憶しておく。６は通信制御部であり、電話回線などの通信回線を介して移動体とは異なる離れた場所に設けられた通信端末と通信を行う。ただし、後述するように本実施例では、目的地となる場所に緯度、経度などの絶対位置情報を備えた通信端末が設けられている。７は測位部１、操作部２、データ部３などから入力されるデータの処理を行う制御部である。また、目的地８について、９は電話装置、１０はデータ処理装置であり、目的地８の座標データとして緯度や経度が納められている座標データベース１１から座標データを引き出し、電話装置９に送り込むものである。
【００１８】
以上のように構成されたナビゲーション装置について、以下にその動作について説明する。
【００１９】
図１に示すように、移動先である目的地８を表示部４画面上に表示する際に、まず、使用者は通信制御部６にモデム等を介して電話回線等の通信回線に接続する。使用者は目的地８に設けられている電話装置９の電話番号を操作部２から入力して電話装置９と回線をつなげると共に、座標データの送信要求を示す制御信号を入力して、この制御信号を通信制御部６から電話回線に送出する。この制御信号は目的地８に設けられている電話装置９で受信されてデータ処理装置１０に送られる。データ処理装置１０は座標データベース１１から目的地８の緯度、経度などの絶対位置情報を引き出し、引き出した数値信号をトーン信号に変換する。このトーン信号は電話装置９によって通信制御部６に対して送信される。
【００２０】
通信制御部６は目的地８の絶対位置情報を示すトーン信号を受信すると、数値信号に変換して制御部７に送る。制御部７はデータ部３にアクセスして受信した絶対位置情報の示す地点を含む範囲の地図データを検索して引き出す。さらに制御部７はデータ部３から引き出した地図データを表示部４に出力すると共に、目的地８を示す地点の所在が表示部４上で明確となるように色分けや矢印表示などの処置を施す。
【００２１】
なお、上記したナビゲーション装置の電話回線との接続では、操作部２から直接目的地８の電話装置９に対して電話番号の入力を行えるようにしたものであるが、通信制御部６をモデム等を介して電話回線に接続する際に、ナビゲーション装置が移動体と取り外しの行える携帯型であれば、屋内の電話回線に接続したパーソナルコンピュータ等に接続して目的地８の絶対値情報を得るようにしても良い。また、移動体と一体型であれば携帯電話等に接続して通信を行えるようにしても良い。また、目的地８を表示部４画面上に表示させる際に、目的地８と現在位置との進行路を自動的に設定する機能を併用せても良い。
【００２２】
以上のように本実施例では、電話回線を利用して目的地８から緯度、経度などの絶対位置情報を得て、この絶対位置情報の示す地点を含む地図データをデータ部３から引き出して表示部４に出力すると共に、目的地８の示す地点の所在が表示部４画面上で明確となるように表示することにより、使用者は地図データの検索や目的地８を表示部４画面上に明確に表示させる作業を行わずに済むので操作負担が軽減し、誤操作の発生を防止できる。
【００２３】
なお、本実施例では電話回線を利用したものであるが、電話回線の代わりに衛星通信などその他の通信回線を利用しても良いことは言うまでもない。また、本実施例では目的地毎に設けられた通信端末である電話装置９から絶対位置情報を得るものであったが、例えば様々な地点の絶対位置情報の提供をサービスする情報センター等を設け、そこから目的地となる地点の絶対位置情報を受けるようにしても良い。
【００２４】
（実施例２）
以下に本発明の第２の実施例について、図面を参照しながら説明する。
【００２５】
図２は本発明の第２の実施例におけるナビゲーション装置の構成を示すブロック図であり、図３は本発明の第２の実施例におけるナビゲーション装置の動作説明図である。図２において、２６はテレビジョン放送における画像信号の受信を行うＴＶ受信部、２７はＴＶ受信部２６によって受信した画像データを取り込む画像データ格納部、２８は画像データ格納部２７で取り込んだ画像データに対して文字認識を行う文字認識部であり、２９は本実施例におけるデータ処理部である。また、２１は測位部、２２は操作部、２３はデータ部、２４は表示部、２５は記憶部である。ただし、本実施例のデータ部２３には住所や電話番号などの文字情報である目的地に関する情報から地図データにおいて目的地の地点を特定できるようなデータが納められている。
【００２６】
なお、本実施例が第１の実施例と異なるのは、第１の実施例では、目的地との通信を行うことによって目的地の緯度、経度などの絶対位置情報を得ていたのに対し、本実施例ではテレビション放送から得た情報によって目的地を表示部２４上に表示するようにした点である。
【００２７】
以上のように構成されたナビゲーション装置について、以下にその動作について説明する。
【００２８】
図２及び図３に示すように、まず、ＴＶ受信部２６においてテレビション放送などの画像信号を受信して表示部２４に出力する。ここで表示部２４に目的地の住所などのデータが表示部２４に出力されたとき（例えば、コマーシャルなどにおいて住所や電話番号などが表示され、この示された地点に使用者が行こうとする場合などが考えられる）、使用者は操作部２２を操作することによってその画像を画像データ格納部２７に取り込む。使用者は操作部２２を操作することによりテレビション放送の受信からナビゲーションに切り換え、取り込んだ画像を表示部２４に表示させる。使用者は操作部２２を操作することにより文字認識させたい領域（住所や電話番号など）の指定を行う。指定された領域は制御部２９によって切り出されると、文字認識部２８に送られて文字認識が行われる。文字認識部２８ではイメージデータであった住所や電話番号などの情報を文字データに変換して制御部２９に送る。
【００２９】
制御部２９は、データ部２３にアクセスすると、変換された文字データを基にして文字データの示す地点を含む範囲の地図データを検索し、該当する地図データを引き出す。制御部２９は地図データを表示部２４に表示すると共に、目的地の地点の所在が表示部２４上にいて明確となるように、色分けや矢印表示などの処置を施す。
【００３０】
なお、上記した本実施例では住所や電話番号に関する文字データを取り込むことについて示したが、目的地を特定できる文字データであれば住所や電話番号に関するデータ以外のものであっても良い。また、本実施例は画像データを文字認識を行うことによって目的地を特定できればよいので、テレビション放送に限るものではない。
【００３１】
以上のように本実施例では、ＴＶ受信部２６で受信したテレビション放送を、画像データ格納部２７によって取り込み、この画像に含まれる住所や電話番号に関する部分を文字認識部２８で文字認識させることによって得た目的地位置に関する情報を基にしてデータ部２３から、その情報の示す地点を含有する地図データを引き出すと共に、目的地の示す地点が明確となるように表示部２４に表示することから、使用者のデータ検索、目的地を明確に表示させるといった操作を軽減できる。
【００３２】
（実施例３）
以下に本発明の第３の実施例について、図面を参照しながら説明する。
【００３３】
図４は本発明の第３の実施例におけるナビゲーション装置の構成を示すブロック図である。図３において、３１は測位部、３２は操作部、３３はデータ部、３４は表示部、３５は記憶部であり、３６は数値データの入力を行う数値入力部である。また、３７は本実施例における制御部である。数値入力部３６から使用者が入力する数値データは、郵便番号などのある特定の地域を限定することができるものであり、データ部３３には入力された数値データに対応する地図データを検索するようになっている。
【００３４】
以上のように構成されたナビゲーション装置について、以下にその動作について説明する。
【００３５】
図４に示すように、移動先となる目的地の設定を行う場合、使用者は目的地の郵便番号を調べ、郵便番号が解ればその数値を数値入力部３６から入力する。郵便番号は数値データとして制御部３７に送られ、制御部３７はデータ部３３にアクセスし、数値データを基にして該当する地図データを検索して表示手段３４に出力する。表示手段３４に地図データが出力されると、使用者は操作部３２を操作することによって目的地の示す地点が明確となるように色分けや矢印表示などの処置を施す。
【００３６】
なお、上記実施例では、数値入力部３６から郵便番号を入力したものであったが、入力する数値によって地域が限定されるものであれば良いので、例えば電話番号の市外局番など、他の数値データであっても構わない。ただし、郵便番号のように特定する地域はなるべく狭い方が好ましいし、データ部３３の記憶媒体としてＣＤ−ＲＯＭなどを用いた場合は、短期間で変更されてしまうものは好ましくない。
【００３７】
以上のように本実施例では、数値入力部３６から郵便番号を入力し、この郵便番号を数値地データとして制御部３７がデータ部３３から該当する地図データを検索して引き出すことにより、使用者が地図データを検索するという作業を軽減することができる。
【００３８】
【発明の効果】
以上のように本発明は、画像受信手段によって受信した画像データを文字認識手段によって文字認識を行うことにより得た目的地位置に関する情報の示す地点が明確となるように表示させることにより、使用者は簡単な操作を行うだけで済み、誤操作の発生を防ぐことのできる優れたナビゲーション装置を実現できるものである。
【００４１】
また、文字認識手段によって得た目的地に関する文字データの示す地点が該当する地図データの検索及び表示手段への出力を制御手段が行うので、使用者は地図データの検索作業という煩雑な操作から解放される優れたナビゲーション装置を実現できるものである。
【図面の簡単な説明】
【図１】本発明の第１の実施例におけるナビゲーション装置の構成を示すブロック図
【図２】本発明の第２の実施例におけるナビゲーション装置の構成を示すブロック図
【図３】本発明の第２の実施例におけるナビゲーション装置の動作説明図
【図４】本発明の第３の実施例におけるナビゲーション装置の構成を示すブロック図
【符号の説明】
１、２１、３１  測位部（測位手段）
２、２２、３２  操作部（操作手段）
３、２３、３３  データ部（データ手段）
４、２４、３４  表示部（表示手段）
５、２５、３５  記憶部
６  通信制御部
７、２９、３７  制御部（制御手段）
２６  ＴＶ受信部（メディア受信手段）
２７  画像データ格納部（画像格納手段）
２８  文字認識部（文字認識手段）
３６  数値入力部（数値入力手段）
【図１】
0003579935.tif 000002
【図２】
0003579935.tif 000003
【図３】
0003579935.tif 000004
【図４】
0003579935.tif 000005